(57)【要約】【課題】  球戻り防止部材の着脱交換が容易なパチンコ機（弾球遊技機）の球戻り防止装置を提供する。【解決手段】  本発明に係るパチンコ機の球戻り防止装置は、遊技領域ＰＡに達した遊技球が発射通路１５へ戻るのを防止するパチンコ機の球戻り防止装置５０であって、発射通路１５と遊技領域ＰＡとの連通部１６を略閉鎖して遊技領域ＰＡから発射通路１６への遊技球の移動を規制する球戻り防止部材５１を備え、内レール部１３における連通部１６の近傍に、球戻り防止部材５１を内レール部１３の前方から着脱可能に保持する保持機構６０が設けられている。【選択図】  図４
2006271637.tif 000002
【特許請求の範囲】
【請求項１】
所定の遊技領域が設けられた遊技盤と、前記遊技領域に向けて遊技球を発射する遊技球発射装置と、前記遊技盤の前面に設けられて前記遊技球発射装置から発射された遊技球を前記遊技領域へ導く外レール部材と、前記遊技盤の前面において外レール部材に対し所定間隔を空けて配設された内レール部材とを備え、前記外レール部材と前記内レール部材との間に遊技球が通過可能な発射通路が前記遊技領域に繋がって形成された弾球遊技機において、
前記遊技領域に達した遊技球が前記発射通路へ戻るのを防止する弾球遊技機の球戻り防止装置であって、
前記発射通路と前記遊技領域との連通部を略閉鎖して前記遊技領域から前記発射通路への遊技球の移動を規制する球戻り防止部材を備え、
前記内レール部材における前記連通部の近傍に、前記球戻り防止部材を前記内レール部材の前方から着脱可能に保持する保持機構が設けられていることを特徴とする弾球遊技機の球戻り防止装置。
【請求項２】
前記保持機構が、前記内レール部材に形成されて前記球戻り防止部材を前記内レール部材の前方から挿入可能な挿入溝部と、
前記内レール部材における前記挿入溝部の近傍に形成され、前記挿入溝部に挿入された前記球戻り防止部材と係合可能な係合位置から前記球戻り防止部材に対し非係合状態となる非係合位置へ弾性的に揺動変位可能な係合保持部とを有し、
前記係合保持部を前記非係合位置に揺動変位させることで、前記球戻り防止部材を前記内レール部材の前方から前記挿入溝部に挿入可能に構成されるとともに、前記挿入溝部に挿入された前記球戻り防止部材を前記挿入溝部から内レール部材の前方へ抜去可能に構成されることを特徴とする請求項１に記載の弾球遊技機の球戻り防止装置。
【請求項３】
前記内レール部材における前記係合保持部の近傍にネジ通過孔が形成され、ネジ部材を前記ネジ通過孔に通過させて前記遊技盤の前面側にネジ固定することで、前記内レール部材が前記遊技盤の前面に取り付けられるように構成されており、
前記ネジ部材を前記ネジ通過孔に通過させて前記遊技盤の前面側にネジ固定した状態で、前記ネジ部材の頭部が前記係合保持部に隣接して前記係合保持部の前記係合位置から前記非係合位置への揺動変位が規制されるように構成されることを特徴とする請求項２に記載の弾球遊技機の球戻り防止装置。
【発明の詳細な説明】
【技術分野】
【０００１】
本発明は、パチンコ機に代表される弾球遊技機の球戻り防止装置に関し、さらに詳しくは、球戻り防止装置を弾球遊技機に取り付けるための構造に関する。
【背景技術】
【０００２】
弾球遊技機の代表例であるパチンコ機は、前面に遊技領域を形成する遊技盤を立設姿勢で収容保持した前枠に、前背面に遊技球の処理経路を一体に設けるとともに背面に各種制御基板が取り付けられる裏セット盤を背面から取り付けて構成され、遊技球発射装置により遊技領域上部に導いた遊技球を落下させる過程で遊技領域内に設けた入賞具に入賞させる遊技を行うように構成されている。
【０００３】
遊技盤の前面には、上方に開く半円弧状の内レール部材と下方に開く半円弧状の外レール部材とに囲まれて略円形の遊技領域が区画形成されるとともに、外レール部材の左辺が内レール部材の外側に所定間隔をおいて略平行に下方に延び、これらのレール部材に挟まれて発射通路が形成される。内レール部材の上端部には、発射通路から遊技領域に達した遊技球が発射通路に戻るのを防止する球戻り防止装置が設けられる。球戻り防止装置は、例えば、板バネ材等を用いて形成された球戻り防止部材と、この球戻り防止部材を固定保持する保持部材とを主体に構成され、球戻り防止部材が発射通路と遊技領域との連通部を略閉鎖することで、遊技球が発射通路に戻るのを防止するようになっている（例えば特許文献１を参照）。
【特許文献１】特開２００３−１５９３９１号公報
【発明の開示】
【発明が解決しようとする課題】
【０００４】
しかしながら、従来の球戻り防止装置においては、球戻り防止部材を保持部材に裏側から差し込んでおき、球戻り防止部材が差し込まれた保持部材を遊技盤の前面側に取り付けることで、球戻り防止部材を遊技盤の前面側に装着する構成であったため、球戻り防止部材の着脱交換が面倒なものであった。
【０００５】
本発明は、このような問題に鑑みて成されたものであり、球戻り防止部材の着脱交換が容易な弾球遊技機の球戻り防止装置を提供することを目的とする。
【課題を解決するための手段】
【０００６】
このような目的達成のため、本発明では、所定の遊技領域が設けられた遊技盤と、遊技領域に向けて遊技球を発射する遊技球発射装置と、遊技盤の前面に設けられて遊技球発射装置から発射された遊技球を遊技領域へ導く外レール部材（例えば、実施形態における外レール部１２）と、遊技盤の前面において外レール部材に対し所定間隔を空けて配設された内レール部材（例えば、実施形態における内レール部１３）とを備え、外レール部材と内レール部材との間に遊技球が通過可能な発射通路が遊技領域に繋がって形成された弾球遊技機（例えば、実施形態におけるパチンコ機ＰＭ）において、遊技領域に達した遊技球が発射通路へ戻るのを防止する弾球遊技機の球戻り防止装置であって、発射通路と遊技領域との連通部を略閉鎖して遊技領域から発射通路への遊技球の移動を規制する球戻り防止部材を備え、内レール部材における連通部の近傍に、球戻り防止部材を内レール部材の前方から着脱可能に保持する保持機構が設けられている。
【０００７】
また、上述の発明において、保持機構が、内レール部材に形成されて球戻り防止部材を内レール部材の前方から挿入可能な挿入溝部と、内レール部材における挿入溝部の近傍に形成され、挿入溝部に挿入された球戻り防止部材と係合可能な係合位置から球戻り防止部材に対し非係合状態となる非係合位置へ弾性的に揺動変位可能な係合保持部とを有し、係合保持部を非係合位置に揺動変位させることで、球戻り防止部材を内レール部材の前方から挿入溝部に挿入可能に構成されるとともに、挿入溝部に挿入された球戻り防止部材を挿入溝部から内レール部材の前方へ抜去可能に構成されることが好ましい。
【０００８】
さらに、上述の発明において、内レール部材における係合保持部の近傍にネジ通過孔が形成され、ネジ部材（例えば、実施形態におけるレール固定ネジ７０）をネジ通過孔に通過させて遊技盤の前面側にネジ固定することで、内レール部材が遊技盤の前面に取り付けられるように構成されており、ネジ部材をネジ通過孔に通過させて遊技盤の前面側にネジ固定した状態で、ネジ部材の頭部が係合保持部に隣接して係合保持部の係合位置から非係合位置への揺動変位が規制されるように構成されてもよい。
【発明の効果】
【０００９】
本発明によれば、内レール部材における連通部の近傍に、球戻り防止部材を内レール部材の前方から着脱可能に保持する保持機構が設けられているため、球戻り防止部材の着脱交換を行う際に、球戻り防止部材を保持する保持部材等を遊技盤から取り外す必要がなくなることから、球戻り防止部材の着脱交換を容易に行うことができる。
【００１０】
また、保持機構が、球戻り防止部材を内レール部材の前方から挿入可能な挿入溝部と、球戻り防止部材と係合可能な係合位置から非係合位置へ弾性的に揺動変位可能な係合保持部とを有し、係合保持部を非係合位置に揺動変位させることで、球戻り防止部材を内レール部材の前方から挿入溝部に挿入可能に構成されるとともに、挿入溝部に挿入された球戻り防止部材を挿入溝部から内レール部材の前方へ抜去可能に構成されることで、簡便な構成で球戻り防止部材の着脱交換を容易に行うことができる。
【００１１】
さらに、内レール部材取り付け用のネジ部材を遊技盤の前面側にネジ固定した状態で、ネジ部材の頭部が係合保持部に隣接して係合保持部の係合位置から非係合位置への揺動変位が規制されるように構成されることで、ネジ部材に係合保持部の揺動を規制する機能を持たせることが可能となり、簡便な構成で球戻り防止部材の脱落を確実に防止することができる。
【発明を実施するための最良の形態】
【００１２】
以下、本発明の好ましい実施形態について図面を参照しながら説明する。本発明に係る球戻り防止装置を備えた弾球遊技機の代表例としてパチンコ機ＰＭを図１〜図３に示しており、まず、これらの図面を参照しながらパチンコ機ＰＭの全体構成について要約説明する。ここで、図１はパチンコ機ＰＭを正面側から見た斜視図、図２はパチンコ機ＰＭのガラス扉および上球皿を開放して示す斜視図、そして図３はパチンコ機ＰＭを背面側から見た斜視図である。
【００１３】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉及び着脱が可能に取り付けられ、正面右側に設けられた施錠装置４を利用して常には外枠１と係合連結された閉止状態に保持される。
【００１４】
前枠２の前面側上部には、ガラス扉５が前方に横開き開閉及び着脱可能に取り付けられ、施錠装置４を利用して常には前枠２の前面を覆う閉止状態に保持される。ガラス扉５の背後に位置する前枠上部には、後方から遊技盤１０を着脱可能に収容する収容枠が設けられており、この収容枠に立設姿勢で係止保持された遊技盤１０がガラス扉５を通して視認されるようになっている。
【００１５】
遊技盤１０は、図２に示すように、所定板厚の積層合板の表面にセルを貼り付けてルーター加工した化粧板１１を基板とし、内外のレール部１２，１３により囲まれて略円形状の遊技領域ＰＡが形成されるようになっている。遊技領域ＰＡには、何れも詳細図示省略するが、多数本の遊技釘とともに風車や各種の入賞装置、遊技の展開状況に応じた図柄を表示させる画像表示装置などの遊技構成部品が取り付けられ、遊技領域ＰＡの下端部にアウト口１８が設けられている。
【００１６】
外レール部１２は、前枠２側において下側が開いた円弧状に形成されており、遊技球発射装置２６から発射された遊技球を遊技領域ＰＡへ導くようになっている。内レール部１３は、ポリカーボネート樹脂（ＰＣ）等の弾性を有する樹脂材料を用いて右側が開いた円弧状に形成されており、遊技盤１０（化粧板１１）の前面において外レール部１２の左側部分に対し所定間隔を空けるように配設されることで、外レール部１２の左側部分との間に発射通路１５が形成されるようになっている。なお、この発射通路１５は遊技領域ＰＡと繋がっており、遊技球が通過可能に構成されている。
【００１７】
前枠２の前面における上記ガラス扉５の下側には、遊技球を貯留する上球皿６がヒンジ機構（図示せず）により横開き開閉および着脱可能に取り付けられており、この上球皿６の下側には下球皿７および発射ハンドル８が取り付けられている。また、図２に示すように、上球皿６に前面側が覆われた前枠２の下部領域には遊技補助盤２５と称される補助機構部が形成されており、この遊技補助盤２５には、遊技盤１０の遊技領域ＰＡ内に遊技球を発射する遊技球発射装置２６等が設けられている。
【００１８】
前枠２の背面上部には、図３に示すように、外枠１の背面側における右上部内側の形状に合わせて逆Ｌ字形に形成された第１裏セット盤４０がヒンジ機構（図示せず）により横開き開閉および着脱可能に取り付けられ、常には前枠２の背面右上部を覆う閉鎖状態に保持される。第１裏セット盤４０には、遊技球を貯留するとともに貯留した遊技球を整列させて流下させる球貯留タンク４１、入賞状態等に基づいて遊技球を払い出す球払出装置４２、球払出装置４２から払い出された遊技球を上球皿６に導く球払出通路４３等の遊技球の処理機構が設けられている。
【００１９】
前枠２の背面下部には、前枠２の背面下部を覆う第２裏セット盤４５がヒンジ機構（図示せず）により横開き開閉および着脱可能に取り付けられ、常には前枠２の背面下部を覆う閉鎖状態に保持される。第２裏セット盤４５には、各制御装置および電子部品等に電力を供給する電源ユニット４６や、遊技球の払出作動を制御する球払出制御装置４７、パチンコ機ＰＭの作動を統括的に制御する主制御装置（図示せず）等が取り付けられており、これらが図示しないコネクタケーブルで接続されてパチンコ機ＰＭが作動可能に構成される。
【００２０】
パチンコ機ＰＭは、ガラス扉５、上球皿６、第１および第２裏セット盤４０，４５等が閉鎖施錠された状態で遊技に供され、上球皿６に遊技球を貯留させて発射ハンドル８を回動操作することにより遊技が開始される。発射ハンドル８が回動操作されると、上球皿６に貯留された遊技球は、上球皿６の裏面側に位置する遊技球発射装置２６により１球ずつ遊技領域ＰＡに打ち出され、パチンコゲームが展開される。
【００２１】
以上のように概略構成されるパチンコ機ＰＭにあって、内レール部１３の上端部には、（発射通路１５を通過して）遊技領域ＰＡに達した遊技球が発射通路１５へ戻るのを防止する球戻り防止装置５０が配設されている。そこで、球戻り防止装置５０について図４〜図８を追加参照しながら説明する。ここで、図４は球戻り防止装置５０の正面図、図５は球戻り防止装置５０の斜視図、図６は球戻り防止装置５０の分解斜視図、図７は保持機構６０の斜視図、そして図８は保持機構６０の係合保持部６６が非係合位置に揺動した状態を示す正面図である。
【００２２】
球戻り防止装置５０は、図４および図５に示すように、発射通路１５と遊技領域ＰＡとの連通部１６を略閉鎖して遊技領域ＰＡから発射通路１５への遊技球の移動を規制する球戻り防止部材５１と、球戻り防止部材５１を内レール部１３の前方から着脱可能に保持する保持機構６０とを備えて構成される。球戻り防止部材５１は、図６に示すように、ステンレス等の金属板材を用いて弾性変形可能な薄板状に形成され、図４に示すように保持機構６０に装着保持された状態で、先端側（上方）へ向かうにつれて左方へ湾曲するようになっている。球戻り防止部材５１の基端部には、ヘアピン状に曲げられた折り返し部５２が形成されており、図４および図５に示すように、保持機構６０の係合孔部６４と係合可能に構成されている。
【００２３】
保持機構６０は、図４に示すように、内レール部１３における連通部１６の近傍に設けられ、球戻り防止部材５１を内レール部１３の前方から挿入可能な挿入溝部６１と、挿入溝部６１に挿入された球戻り防止部材５１と係合可能な係合保持部６６とを主体に構成される。挿入溝部６１は、図６〜図８に示すように、内レール部１３の上部に球戻り防止部材５１の基端側の形状に合わせた溝状に形成され、挿入溝部６１の前側に前面側開口６２が形成されるとともに、挿入溝部６１の上部に上部側開口６３が形成される。また、挿入溝部６１の下部には係合孔部６４が形成されており、球戻り防止部材５１の折り返し部５２と係合可能に構成されている。なお、前面側開口６２は、挿入溝部６１および係合孔部６４の前側に形成されることになる。
【００２４】
そして、球戻り防止部材５１の基端側を内レール部１３の前方から前面側開口６２に通過させることで、図５に示すように、球戻り防止部材５１の折り返し部５２が係合孔部６４と係合した状態で球戻り防止部材５１の基端側が挿入溝部６１に挿入され、戻り防止部材５１の先端側が上部側開口６３を通過して内レール部１３の上方に突出し、図４に示すように、発射通路１５と遊技領域ＰＡとの連通部１６を略閉鎖するようになっている。
【００２５】
係合保持部６６は、図７に示すように、内レール部１３における挿入溝部６１の左方に隣接した位置において前方に伸びる角柱状に形成され、先端には球戻り防止部材５１の前側縁部に係止可能な爪部６７が形成されている。また、前述したように、内レール部１３は、ポリカーボネート樹脂（ＰＣ）等の弾性を有する樹脂材料を用いて形成されており、これにより、係合保持部６６は、挿入溝部６１に挿入された球戻り防止部材５１と係合可能な係合位置（図５および図７を参照）から、球戻り防止部材５１に対し非係合状態となる非係合位置（図６および図８を参照）へ弾性的に揺動変位可能に構成される。
【００２６】
なお、内レール部１３における保持機構６０の左側には、サラモミ加工が施されたネジ通過孔６９が形成されており、図示しない皿ネジをこのネジ通過孔６９に通過させて遊技盤１０の前面側にネジ固定することで、内レール部の上部が遊技盤１０の前面に固定されるようになっている。また、図示省略するが、内レール部１３の上部背面側（保持機構６０の裏側）には、遊技盤１０に対する内レール部１３の位置決めを行うためのボス部（図示せず）が後方へ突出して形成されている。
【００２７】
このように構成されるパチンコ機ＰＭの球戻り防止装置５０において、球戻り防止部材５１を内レール部１３に設けられた保持機構６０に装着するには、まず、図６に示すように、保持機構６０の係合保持部６６を（摘む等して）係合位置から非係合位置に揺動変位させる。このとき、係合保持部６６は弾性変形するようにして非係合位置に揺動変位し、挿入溝部６１の前面側開口６２が開放状態となる。次に、係合保持部６６を非係合位置に揺動変位させた状態で、球戻り防止部材５１の基端側を内レール部１３の前方から挿入溝部６１に挿入し、係合保持部６６を（離す等して）非係合位置から係合位置に揺動変位させる。このとき、係合保持部６６は弾性力を利用して係合位置に揺動変位し、図４および図５に示すように、係合保持部６６の爪部６７が球戻り防止部材５１の前側縁部に係止して係合保持部６６と球戻り防止部材５１とが係合した状態となる。
【００２８】
そして、球戻り防止部材５１の基端側が挿入溝部６１に挿入されて、係合保持部６６と球戻り防止部材５１とが係合した状態では、球戻り防止部材５１の前面側開口６２からの脱落が規制され、さらに、球戻り防止部材５１の折り返し部５２が係合孔部６４と係合することで、球戻り防止部材５１の上部側開口６３からの脱落が規制される。このようにして、球戻り防止部材５１を内レール部１３の前方から保持機構６０に装着することができ、この状態でパチンコ機ＰＭが使用に供される。
【００２９】
一方、球戻り防止部材５１を保持機構６０から離脱させるには、まず、係合保持部６６を（摘む等して）再び係合位置から非係合位置に揺動変位させる。このとき、挿入溝部６１の前面側開口６２が再び開放状態となる。次に、図６に示すように、係合保持部６６を非係合位置に揺動変位させた状態で、挿入溝部６１に挿入された球戻り防止部材５１（基端側）を挿入溝部６１から内レール部１３の前方へ抜き去り、係合保持部６６を（離す等して）非係合位置から係合位置に揺動変位させる。このようにして、球戻り防止部材５１を保持機構６０から内レール部１３の前方へ離脱させることができる。なおこのとき、係合保持部６６は弾性力を利用して係合位置に揺動変位し、爪部６７が前面側開口６２を略閉鎖した状態となる。
【００３０】
上述から分かるように、球戻り防止部材５１を内レール部１３の前方から着脱可能に保持する保持機構６０により、球戻り防止部材５１の着脱交換を行う際に、内レール部１３や球戻り防止部材を保持する保持部材等を遊技盤１０から取り外す必要がなくなることから、球戻り防止部材５１の着脱交換を容易に行うことができる。また、保持機構６０に構成される係合保持部６６を非係合位置に揺動変位させることで、球戻り防止部材５１を内レール部の前方から挿入溝部６１に挿入可能に構成されるとともに、挿入溝部６１に挿入された球戻り防止部材５１を挿入溝部６１から内レール部１３の前方へ抜去可能に構成されるため、簡便な構成で球戻り防止部材５１の着脱交換を容易に行うことができる。
【００３１】
以上に説明した本発明の実施形態において、達成される主要な効果を整理すれば、下記のようになる。
【００３２】
第１に、内レール部１３における連通部１６の近傍に、球戻り防止部材５１を内レール部１３の前方から着脱可能に保持する保持機構６０が設けられているため、球戻り防止部材５１の着脱交換を行う際に、内レール部１３や球戻り防止部材を保持する保持部材等を遊技盤１０から取り外す必要がなくなることから、球戻り防止部材５１の着脱交換を容易に行うことができる。
【００３３】
第２に、保持機構６０が、球戻り防止部材５１を内レール部１３の前方から挿入可能な挿入溝部６１と、球戻り防止部材５１と係合可能な係合位置から非係合位置へ弾性的に揺動変位可能な係合保持部６６とを有し、係合保持部６６を非係合位置に揺動変位させることで、球戻り防止部材５１を内レール部１３の前方から挿入溝部６１に挿入可能に構成されるとともに、挿入溝部６１に挿入された球戻り防止部材５１を挿入溝部６１から内レール部１３の前方へ抜去可能に構成されることで、簡便な構成で球戻り防止部材５１の着脱交換を容易に行うことができる。
【００３４】
なお、上述の実施形態において、図１０に示すように、内レール部１１３における係合保持部６６の近傍にネジ通過孔７５を形成し、図９に示すように、レール固定ネジ７０をネジ通過孔７５に通過させて遊技盤１０の前面側にネジ固定した状態で、レール固定ネジ７０の頭部７１を係合保持部６６に隣接させて係合保持部６６の係合位置から非係合位置への揺動変位を規制するようにしてもよい。このようにすれば、レール固定ネジ７０に係合保持部６６の揺動を規制する機能を持たせることが可能となり、簡便な構成で球戻り防止部材５１の脱落を確実に防止することができる。
【００３５】
なお、レール固定ネジ７０は、いわゆるナベ小ネジであり、レール固定ネジ７０をネジ通過孔７５に通過させて遊技盤１０の前面側にネジ固定することで、内レール部１１３が遊技盤１０の前面に取り付けられるように構成される。また、ナベ小ネジに限らず、六角穴付きボルトや六角ボルト等を用いるようにしてもよい。
【００３６】
また、上述の実施形態において、本発明に係る球戻り防止装置５０がパチンコ機ＰＭに設けられているが、これに限られるものではなく、例えば、アレンジボール機や雀球遊技機等の弾球遊技機に設けられてもよい。
【００３７】
さらに、上述の実施形態において、係合保持部６６が係合位置から非係合位置へ揺動変位可能に構成されているが、これに限られるものではなく、例えば、挿入溝部に挿入された球戻り防止部材と係合可能な係合位置と、球戻り防止部材に対し非係合状態となる非係合位置とにスライド変位可能な係合保持部材を内レール部の前面側に取り付けるようにしてもよく、また、係合位置と非係合位置とに回転変位可能な係合保持部材を内レール部の前面側に取り付けるようにしてもよい。
【図面の簡単な説明】
【００３８】
【図１】本発明に係る球戻り防止装置を備えたパチンコ機を正面側から見た斜視図である。
【図２】上記パチンコ機のガラス扉および上球皿を開放して示す斜視図である。
【図３】上記パチンコ機を背面側から見た斜視図である。
【図４】球戻り防止装置の正面図である。
【図５】球戻り防止装置の斜視図である。
【図６】球戻り防止装置の分解斜視図である。
【図７】保持機構の斜視図である。
【図８】保持機構の係合保持部が非係合位置に揺動した状態を示す正面図である。
【図９】球戻り防止装置の変形例を示す正面図である。
【図１０】球戻り防止装置の変形例においてレール固定ネジが取り外された状態を示す正面図である。
【符号の説明】
【００３９】
ＰＭ  パチンコ機（弾球遊技機）
ＰＡ  遊技領域
１０  遊技盤
１２  外レール部（外レール部材）
１３  内レール部（内レール部材）
１５  発射通路
１６  連通部
２６  遊技球発射装置
５０  戻り防止装置
５１  戻り防止部材
６０  保持機構
６１  挿入溝部
６６  係合保持部
７０  レール固定ネジ（ネジ部材）
７１  頭部
７５  ネジ通過孔
１１３  内レール部（変形例）
【図１】
2006271637.tif 000003
【図２】
2006271637.tif 000004
【図３】
2006271637.tif 000005
【図４】
2006271637.tif 000006
【図５】
2006271637.tif 000007
【図６】
2006271637.tif 000008
【図７】
2006271637.tif 000009
【図８】
2006271637.tif 000010
【図９】
2006271637.tif 000011
【図１０】
2006271637.tif 000012